(57)【要約】      （修正有）【課題】移動手摺の表面全体を確実に殺菌又は乾燥することができるマンコンベアの移動手摺装置を得る。【解決手段】マンコンベアの欄干の上下部に配置された無端状の移動手摺１と、この移動手摺１の下端部の下方に設けられた殺菌灯２と、温風を発生させる温風器３と、移動手摺１の下端部の一部を囲い込むように設けられ、殺菌灯２からの紫外線をその内面で反射することにより紫外線を移動手摺１の表面全体に照射するとともに、移動手摺１の下端部の下方から吹き込まれる温風器３からの温風をその内面で案内することにより移動手摺１の表面全体を乾燥させる殺菌乾燥部とを備える。【選択図】図１
2006193319.tif 000002
【特許請求の範囲】
【請求項１】
マンコンベアの欄干の上下部に配置された無端状の移動手摺と、この移動手摺の下端部の下方に設けられた殺菌灯と、前記移動手摺の下端部の一部を囲い込むように設けられ、前記殺菌灯からの紫外線をその内面で反射することにより、前記紫外線を前記移動手摺の表面全体に照射する殺菌部とを備えたことを特徴とするマンコンベアの移動手摺装置。
【請求項２】
マンコンベアの欄干の上下部に配置された無端状の移動手摺と、温風を発生させる温風器と、前記移動手摺の下端部の一部を囲い込むように設けられ、前記移動手摺の下端部の下方から吹き込まれる前記温風器からの温風をその内面で案内することにより、前記移動手摺の表面全体を乾燥させる乾燥部とを備えたことを特徴とするマンコンベアの移動手摺装置。
【請求項３】
マンコンベアの欄干の上下部に配置された無端状の移動手摺と、この移動手摺の下端部の下方に設けられた殺菌灯と、温風を発生させる温風器と、前記移動手摺の下端部の一部を囲い込むように設けられ、前記殺菌灯からの紫外線をその内面で反射することにより前記紫外線を前記移動手摺の表面全体に照射するとともに、前記移動手摺の下端部の下方から吹き込まれる前記温風器からの温風をその内面で案内することにより前記移動手摺の表面全体を乾燥させる殺菌乾燥部とを備えたことを特徴とするマンコンベアの移動手摺装置。
【請求項４】
殺菌部又は乾燥部又は殺菌乾燥部は、筒状を呈することを特徴とする請求項１から請求項３の何れかに記載のマンコンベアの移動手摺装置。
【請求項５】
殺菌部又は乾燥部又は殺菌乾燥部は、移動手摺の下端部の一部の上方にスリットが形成されたことを特徴とする請求項１から請求項４の何れかに記載のマンコンベアの移動手摺装置。
【発明の詳細な説明】
【技術分野】
【０００１】
この発明は、マンコンベアの移動手摺の表面全体を殺菌又は乾燥する移動手摺装置に関するものである。
【背景技術】
【０００２】
エスカレータや動く歩道等といったマンコンベアには、利用者の安全を確保するため、利用者が乗る踏段の両側に移動手摺が設置されている。この移動手摺は、利用者の安全上極めて重要なものであり、移動中の利用者が持つように、踏段から所定の高さに配置され、且つ、踏段と同方向に同一速度で連動するように制御されている。また、マンコンベアは一般に人通りの多い場所に設置されているため、外部環境に面した移動手摺には埃や粉塵等が付着しやすい。さらに、利用者が直接手で触れるものであるため、移動手摺には利用者の汗等も付着する。したがって、利用者の中には、移動手摺を持つことを不快に思い、移動手摺を持たずにマンコンベアを利用する者もいる。かかる状況を防止するため、従来の移動手摺装置には、移動手摺を清潔に保つように、移動手摺を乾燥したり殺菌したりする装置を備えたものがある。
【０００３】
また、マンコンベアの移動手摺装置の従来技術として、移動手摺の上階の欄干の下部に、移動手摺の異物を機械的に除去するブラシ駆動装置と、移動手摺に洗剤液を吹き付ける洗剤噴霧装置と、移動手摺に水洗液を吹き付ける散水洗浄装置と、移動手摺を乾燥させる乾燥装置と、移動手摺を殺菌する殺菌装置とを備えたものが開示されている（例えば、特許文献１参照）。
【０００４】
【特許文献１】特開平８−１８８３６９号公報
【発明の開示】
【発明が解決しようとする課題】
【０００５】
マンコンベアの利用者が踏段に乗って移動する場合、移動手摺の上に手を添えるだけでも体を安定に保つことができるが、踏段が急停止する場合等に備え、しっかりと移動手摺を持つことが好ましい。このように、移動手摺を把持した場合、利用者の手は、移動手摺の平坦面から、この平坦面両側の湾曲面を介して裏面にまで達する。ここで、特許文献１記載の移動手摺装置では、構造上、移動手摺の平坦面しか十分に乾燥又は殺菌することができなかった。このため、利用者が移動手摺を把持した際に、指先が触れる裏面が十分に乾燥していない又は殺菌されていない等の理由により、移動手摺を把持することを躊躇したり、或いは把持しなかったりするという問題が生じていた。
【０００６】
この発明は、上述のような課題を解決するためになされたもので、その目的は、移動手摺の表面全体を確実に殺菌又は乾燥することができるマンコンベアの移動手摺装置を提供することである。
【課題を解決するための手段】
【０００７】
この発明に係るマンコンベアの移動手摺装置は、マンコンベアの欄干の上下部に配置された無端状の移動手摺と、この移動手摺の下端部の下方に設けられた殺菌灯と、移動手摺の下端部の一部を囲い込むように設けられ、殺菌灯からの紫外線をその内面で反射することにより、紫外線を移動手摺の表面全体に照射する殺菌部とを備えたものである。
【０００８】
また、この発明に係るマンコンベアの移動手摺装置は、マンコンベアの欄干の上下部に配置された無端状の移動手摺と、温風を発生させる温風器と、移動手摺の下端部の一部を囲い込むように設けられ、移動手摺の下端部の下方から吹き込まれる温風器からの温風をその内面で案内することにより、移動手摺の表面全体を乾燥させる乾燥部とを備えたものである。
【０００９】
また、この発明に係るマンコンベアの移動手摺装置は、マンコンベアの欄干の上下部に配置された無端状の移動手摺と、この移動手摺の下端部の下方に設けられた殺菌灯と、温風を発生させる温風器と、移動手摺の下端部の一部を囲い込むように設けられ、殺菌灯からの紫外線をその内面で反射することにより紫外線を移動手摺の表面全体に照射するとともに、移動手摺の下端部の下方から吹き込まれる温風器からの温風をその内面で案内することにより移動手摺の表面全体を乾燥させる殺菌乾燥部とを備えたものである。
【発明の効果】
【００１０】
この発明は、マンコンベアの欄干の上下部に配置された無端状の移動手摺と、この移動手摺の下端部の下方に設けられた殺菌灯と、移動手摺の下端部の一部を囲い込むように設けられ、殺菌灯からの紫外線をその内面で反射することにより、紫外線を移動手摺の表面全体に照射する殺菌部とを備える構成としたことで、移動手摺の表面全体を確実に殺菌することができる。
【００１１】
また、この発明は、マンコンベアの欄干の上下部に配置された無端状の移動手摺と、温風を発生させる温風器と、移動手摺の下端部の一部を囲い込むように設けられ、移動手摺の下端部の下方から吹き込まれる温風器からの温風をその内面で案内することにより、移動手摺の表面全体を乾燥させる乾燥部とを備える構成としたことで、移動手摺の表面全体を確実に乾燥することができる。
【００１２】
また、この発明は、マンコンベアの欄干の上下部に配置された無端状の移動手摺と、この移動手摺の下端部の下方に設けられた殺菌灯と、温風を発生させる温風器と、移動手摺の下端部の一部を囲い込むように設けられ、殺菌灯からの紫外線をその内面で反射することにより紫外線を移動手摺の表面全体に照射するとともに、移動手摺の下端部の下方から吹き込まれる温風器からの温風をその内面で案内することにより移動手摺の表面全体を乾燥させる殺菌乾燥部とを備える構成としたことで、移動手摺の表面全体を確実に殺菌及び乾燥することができる。
【発明を実施するための最良の形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
マンコンベアの利用者が乗って移動する踏段の両側には、欄干が立設されており、この欄干の上部に移動手摺がそれぞれ配置されている。この移動手摺は、踏段と同方向に同一速度で連動するように制御されており、利用者は、欄干の上部を移動する移動手摺を把持して一方の乗降口から他方の乗降口へと移動する。欄干の上部に配置されたこの移動手摺の横断面は、開口部を下方に向けた略Ｃ字状を呈しており、移動手摺を把持する利用者の手は、このＣ字状の表面全体に触れ得る。ここで、欄干上部を移動する移動手摺の表面は、その上面からなる平坦面と、平坦面の両側から下方に湾曲された湾曲面と、この湾曲面の延長上で平坦面の反対側に位置する裏面とから成り、利用者は、通常、手のひらを平坦面に載置し、指が湾曲面から裏面に達するようにして移動手摺を把持する。
【００１５】
また、上記移動手摺は軟質ゴム製で無端状に構成されており、その上端部が上記欄干の上部に配置されるとともに、両乗降口で下方に折り返され、その下端部が欄干の下部に配置されている。図１はこの発明の実施の形態１におけるマンコンベアの移動手摺装置の要部側面図であり、欄干の下部に配置された移動手摺の下端部の一部を示したものである。図１において、マンコンベアの欄干（図示せず）の下部に配置された移動手摺１の下端部は、欄干の上部に配置された移動手摺１の上端部とは逆に、平坦面１ａを下方に、また、裏面１ｂを上方に向けて両乗降口間を移動する。欄干の下部に配置されたこの移動手摺１の下端部の下方には、所定の位置に、殺菌作用のある紫外線を放射する殺菌灯２と温風を発生させる温風器３とが設けられている。この殺菌灯２は、上方を移動する移動手摺１の下端部と所定の間隙を有して対向し、殺菌灯２から放射される紫外線の一部が移動手摺１の平坦面１ａに直接照射されるように配置されている。一方、温風器３は、殺菌灯２と同様に上方を移動する移動手摺１の下端部と所定の間隙を有して対向し、温風器３から発生する温風の一部が移動手摺１の平坦面１ａに直接吹き付けられるように配置されている。ここで、上記温風器３は、移動手摺１の下端部の下方に配置され、コイル状に形成された複数本の電熱線３ａと、この電熱線３ａの直下部に一側の開口部を有し、且つ、その中空部が移動手摺１の平坦面１ａに略直交する風洞３ｂと、この風洞３ｂの他側の開口部に配置され、風洞３ｂを介して電熱線３ａに空気を送り込む送風機３ｃとから構成されている。なお、電熱線３ａの両端は、マンコンベアが設置された建築物の分電盤の電源に接続されており、送風機３ｃを駆動して電熱線３ａの電源側のスイッチを投入することにより、風洞３ｂから吹き付ける空気を電熱線３ａによって加熱している。
【００１６】
また、図１における４は、特許請求の範囲における殺菌部又は乾燥部又は殺菌乾燥部を兼用する筒であり、上記殺菌灯２及び温風器３の電熱線３ａ、並びに、殺菌灯２及び温風器３の上方に配置された移動手摺１の下端部の一部を囲い込むように配置されている。即ち、移動手摺１の下端部が筒４の中空部を通過するとともに、この中空部内に上記殺菌灯２及び温風器３の電熱線３ａが配置されている。なお、筒４の上部には、移動手摺１の下端部の上方にこの移動手摺１の長手方向に沿ってスリット４ａが形成されており、図示されていないが、移動手摺１の下端部を支持する支持体がこのスリット４ａ内に配置されている。また、移動手摺１の短手方向の表面全体、即ち、移動手摺１の平坦面１ａから湾曲面１ｃ及び裏面１ｂに渡る表面全体を覆う筒４の内面は、殺菌灯２からの紫外線を所定値以上の反射率で反射する鏡面を成している。なお、上記風洞３ｂは、筒４の下面に一側の開口部が形成されるように筒４に接続されており、この風洞３ｂの一側の開口部を塞ぐように電熱線３ａが設置されている。
【００１７】
図２は、図１のＡ−Ａ断面図であり、殺菌灯２から放射された紫外線の光路を示したものである。図２において、殺菌灯２から放射された紫外線は、矢印で示されているように、筒４の内面（鏡面）によって反射されて移動手摺１の表面全体に照射される。即ち、殺菌灯２から放射された紫外線は、移動手摺１の平坦面１ａに直接照射されるとともに、筒４の内面に反射されて、平坦面１ａ及び湾曲面１ｃ、裏面１ｂに確実に照射される。
【００１８】
また、図３は、図１のＢ−Ｂ断面図であり、温風器３から筒４内に吹き込まれた温風の進路を示したものである。図３において、温風器３からの温風は、矢印で示されているように、筒４の内面に案内されて移動手摺１の表面全体に吹き付けられる。即ち、移動手摺１の下端部の下方から筒４内に吹き込まれた温風器３からの温風は、移動手摺１の平坦面１ａに直接吹き付けられるとともに、筒４の内面に案内されて、湾曲面１ｃ及び裏面１ｂにも確実に当てられる。かかる構成を有することにより、移動手摺１の表面全体を乾燥させることが可能となる。
【００１９】
この発明の実施の形態１によれば、内面が鏡面を成す筒４が、移動手摺１の下端部の一部を囲い込むように設けられているため、殺菌灯２から放射された紫外線を移動手摺１の表面全体、即ち、平坦面１ａ、湾曲面１ｃ及び裏面１ｂに確実に照射させることが可能となる。また、同様に、筒４が移動手摺１を囲い込むように設けられているため、温風器３からの温風を移動手摺１の表面全体に確実に吹き付けることが可能となる。したがって、マンコンベアの利用者が把持する際に触れ得る移動手摺１の表面全体を確実に殺菌及び乾燥をすることができ、例えば、殺菌及び乾燥済み等の案内を利用者に対して行うことにより、利用者に対して移動手摺１をしっかり持つことを促すことが容易となる。なお、殺菌部と乾燥部とを別々に構成することも可能であるが、内面が鏡面状に施された筒４により、移動手摺１の表面全体の殺菌及び乾燥を同時に行うことができるため、省スペース化を図ることが可能である。
【図面の簡単な説明】
【００２０】
【図１】この発明の実施の形態１におけるマンコンベアの移動手摺装置の要部側面図である。
【図２】図１におけるＡ−Ａ断面図である。
【図３】図１におけるＢ−Ｂ断面図である。
【符号の説明】
【００２１】
１  移動手摺
１ａ  平坦面
１ｂ  裏面
１ｃ  湾曲面
２  殺菌灯
３  温風器
３ａ  電熱線
３ｂ  風洞
３ｃ  送風機
４  筒
４ａ  スリット
【図１】
2006193319.tif 000003
【図２】
2006193319.tif 000004
【図３】
2006193319.tif 000005